(57)【要約】【課題】突起意匠靴中敷を靴の形状にカットする手間がかかり、突起意匠靴中敷を敷くと靴内部が狭くきつくになり、突起の谷間に汚れがたまり、靴の履き口から突起意匠靴中敷が諸に見え違和感になるので、突起意匠靴中敷が内蔵の足裏の壷刺激靴を提供する。【解決手段】甲被（１）の下部周囲一端に上部面（２）と下部面（３）を設け、上部面（２）と下部面（３）の間に突起意匠靴中敷（５）を内蔵し、底（６）を設けた、突起意匠靴中敷内蔵を特徴とする。【選択図】  図１
2004283533.tif 000002
【特許請求の範囲】
【請求項１】
甲被（１）の下部周囲一端に上部面（２）と下部面（３）を設け上部面（２）と下部面（３）の間（４）に、突起意匠靴中敷（５）を包内蔵し、底（６）を設けた、突起意匠靴中敷内蔵の足裏の壷刺激靴。
【発明の詳細な説明】
【０００１】
【発明の属する技術分野】
この発明は、甲被下部周囲一端に設けた上部面と下部面の間に突起意匠靴中敷を内蔵につき靴に関するものである。
【０００２】
【従来の技術】
従来より、足裏の壷を刺激し健康を促進することを目的として、靴の内側に突起意匠靴中敷を敷くことが知られている※（たとえば、特許文献１参照）。
また、突起意匠靴中敷意匠※（たとえば、特許文献２参照）。のように靴中敷に多数の突起を形成し、その突起で足裏に多数分布している壷を刺激して健康の増進を目的として意匠されている。
※
【０００３】
【特許文献１】
実開平０２−１９２０８号公報
【特許文献２】
意匠登録８５６４０４号公報
【０００４】
【発明が解決しようとする課題】
これはつぎのような欠点があった。
▲１▼  靴内部に突起意匠靴中敷を敷くと、図４に示すその体積で靴内部の立体的空間が小さくなるのでつま先部分（７）の高さと甲部分（８）の高さが狭くなり、また、カカト部分（９）の高さが低くなるので足のキビス部分のフィッティングが悪くなり歩行時にカカト部分が脱げやすく足に負担がかかる。
▲２▼  靴内部に突起意匠靴中敷を敷くとき、使用する靴の形状に合わせて突起意匠靴中敷をカットしなければならず手間がかかる。
▲３▼  靴内部に突起意匠靴中敷を敷くと、靴を履くとき突起が足裏に直接に接するので足裏に引っ掛かりやすくスムーズに履きにくい。
▲４▼  靴内部に突起意匠靴中敷を敷くと、突起が足裏に直接に接するので摩擦で靴下が摩耗して傷みやすく、また、突起が摩耗・変形しやすくなる。
▲５▼  靴内部に突起意匠靴中敷を敷くと、図６に示す靴の履き口から靴内部の突起意匠靴中敷が諸に見えるため違和感になる。
▲６▼  靴内部に突起意匠靴中敷を敷くと、突起の凹・谷間に汚れがたまる。
本発明は、以上のような欠点をなくすためになされたものである。
【０００５】
【課題を解決するための手段】
甲被（１）の下部周囲一端に上部面（２）と下部面（３）を設け、上部面（２）と下部面（３）の間に突起意匠靴中敷（５）を包内蔵し、底（６）を設ける。
本発明は、以上の構成よりなる突起意匠靴中敷内蔵が特徴の突起意匠靴中敷内蔵の壷刺激靴である。
【０００６】
【発明の実施の形態】
以下、本発明の実施の形態について説明する。
甲被（１）の下部周囲の一端（１０）に上部面（２）と下部面（３）周囲一端（１１）を挿入口部分（１２）を残し縫合して、甲被一体とし、上部面（２）と下部面（３）の間の包内蔵層（４）に突起意匠靴中敷（５）を−内蔵して、挿入口部分（１２）を縫合し、突起意匠靴中敷内蔵の甲被（１３）開口部から甲被内部（１４）にラスト（１５）を嵌め込み、底（６）を接着する。また、甲被に縫合の上部面（２）は靴内部表面部分で足裏に接する面となり、下部面（３）は底接着側になる。上部面・下部面の材質は、合成皮革を主に用い、内蔵の突起意匠靴中敷の材質は主に合成樹脂材質のものを用いる。
本発明は、以上のような構造でこれを使用するときは、上部面の足裏に接する靴内部表面に歩行時連続的に圧力運動が加わり、その圧力運動により、靴内部表面層を押し下げることで足下部に突起が適度に食い込み、足裏の壷刺激効果がえられる。
【０００７】
【発明の効果】
▲１▼  突起意匠靴中敷内蔵のため、従来のように突起意匠靴中敷を靴の形状にカットして敷く手間が省ける。
▲２▼  突起意匠靴中敷内蔵のため、靴製造において「靴内部の立体的空間が足にフィットするよう研究され作られた」靴内部のつま先の高さ・甲の高さ・カカトの高さが変わらないため、靴内部のベストな立体的空間が保たれる。
▲３▼  突起意匠靴中敷内蔵のため、靴を履くとき直接的に突起が足裏に接しないのでスムーズに履きやすくなる。
▲４▼  突起意匠靴中敷内蔵のため、直接的に突起が足裏に接しないので靴下が傷みにくく、また、突起の摩耗・変形が少なくなる。
▲５▼  突起意匠靴中敷内蔵のため、図７に示す靴の履き口から突起意匠靴中敷が諸に見えなので違和感がなくなる。
▲６▼  突起意匠靴中敷内蔵のため、突起の谷間に汚れが溜まらない。
【図面の簡単な説明】
【図１】本発明の突起意匠靴中敷内蔵と靴内部立体的空間を示す透視斜視図。
【図２】本発明の内蔵の突起意匠靴中敷を示す模式的側面参考図。
【図３】本発明の甲被と上部面・下部面を示す分解斜視図。
【図４】従来の突起意匠靴中敷、敷着時の靴内部立体的空間の課題を示す透視斜視図。
【図５】本発明の袋状一体甲被にラスト嵌め込みと底の分解斜視図。
【図６】本発明の従来の突起意匠靴中敷・敷着の靴内部の突起意匠靴中敷が諸に見えるのを示す参考図。
【図７】本発明の突起意匠靴中敷内蔵で靴内部の突起意匠靴中敷が諸に見えない状態を示す参考図。
【符号の説明】
１  甲被
２  上部面
３  下部面
４  上部面と下部面の間の内蔵層
５  突起意匠靴中敷
６  底
７  つま先の高さ
８  甲の高さ
９  カカトの高さ
１０  甲被下部周囲一端
１１  上部面・下部面周囲一端
１２  挿入口部分
１３  突起意匠靴中敷内蔵の甲被
１４  甲被内部
１５  ラスト
１６  突起意匠靴中敷が諸に見えない状態靴内部
１７  突起意匠靴中敷が諸に見える靴内部
【図１】
2004283533.tif 000003
【図２】
2004283533.tif 000004
【図３】
2004283533.tif 000005
【図４】
2004283533.tif 000006
【図５】
2004283533.tif 000007
【図６】
2004283533.tif 000008
【図７】
2004283533.tif 000009
【手続補正書】
【提出日】平成15年5月13日(2003.5.13)
【手続補正１】
【補正対象書類名】明細書
【補正対象項目名】特許請求の範囲
【補正方法】変更
【補正の内容】
【特許請求の範囲】
【請求項１】
甲被（１）の下部周囲一端に上部面（２）と下部面（３）を設け上部面（２）と下部面（３）の間（４）に、突起意匠靴中敷（５）を包内蔵し、底（６）を設けた、突起意匠靴中敷内蔵の足裏の壷刺激靴。
【請求項２】
靴に、突起意匠靴中敷（５）の突起面側表面が見えないよう、突起面側表面全体を表面層で覆っている、突起意匠靴中敷を設けた突起意匠靴中敷つきの足裏の壷刺激靴。
【手続補正２】
【補正対象書類名】明細書
【補正対象項目名】０００４
【補正方法】変更
【補正の内容】
【０００４】
【発明が解決しようとする課題】
これはつぎのような欠点があった。
１  靴内部に突起意匠靴中敷を敷くと、図６に示す靴の履き口から靴内部の突起意匠靴中敷が諸に見えるので違和感になる。
２  靴内部に突起意匠靴中敷を敷くとき、靴の形状に合わせ突起意匠靴中敷をカットしなければならず、形状のとおりカットしにくくカットに手間がかかる。
３  靴内部に突起意匠靴中敷を敷くと、その中敷の厚みで、図４に示すつま先部分（７）の高さ、甲部分（８）の高さと踵部分（９）の高さが低くなるので靴内部の立体的空間が小さくなり、踵部分の高さ低くなることで足のキビス部分のフィッテングが悪くなり、歩行時、踵部分が脱げやすく足に負担がかかる。
４  靴内部に突起意匠靴中敷を敷き使用していると、突起の谷間・凹に汚れがたまり不潔な状態になる。
５  靴内部に突起意匠靴中敷を敷くと、突起が直接に足裏に接するので靴を履き脱ぎするときに、突起が足裏に引っ掛かりスムーズに履き脱ぎしにくくなる。
６  靴内部に突起意匠靴中敷を敷くと、突起が直接に足裏に接するため、体重と歩行時の押し下げ圧力運動により、足裏をハードに刺激するので痛みを感じ、長時間の使用又は、歩行に耐えれない。


【手続補正３】
【補正対象書類名】明細書
【補正対象項目名】０００６
【補正方法】変更
【補正の内容】
【０００６】
【発明の実施の形態】
以下、本発明の実施の形態について説明する。
甲被（１）の下部の周囲一端（１０）に上部面（２）と下部面（３）周囲一端（１１）を挿入口部分（１２）を残し縫合し甲被一体として、上部面（２）と下部面（３）の間の包内蔵層（４）に突起意匠靴中敷（５）を内蔵して、挿入口部分（１２）を縫合し、突起意匠靴中敷内蔵の甲被（１３）開口部から甲被内部（１４）にラスト（１５）を嵌め込み、底（６）を接着する。  上部面の足裏に接する側の素材は、布にクッション性のある２ミリ程度のスポンヂを付したものを主に用い、内蔵の突起意匠靴中敷は、足裏の形状に適合するように、高低のある多数の突起を設け、材質は合成樹脂を用いる。
本発明は、以上のような構造でこれを使用するときは、上部面の足裏に接する靴内部表面層に、体重と歩行時の圧力運動で上部面の靴内部表面層を押し下げ、突起が足裏の壷を適度に刺激してソフトな指圧効果がえられる。


【手続補正４】
【補正対象書類名】明細書
【補正対象項目名】０００７
【補正方法】変更
【補正の内容】
【０００７】
【発明の効果】
１  突起意匠靴中敷内蔵により、突起意匠靴中敷が表面層で覆われているので、図７で示す履き口から突起意匠靴中敷が諸に見えないので違和感がなくなる。
２  突起意匠靴中敷内蔵により、従来のように突起意匠靴中敷を靴の形状にカットして敷く手間が省ける。
３  突起意匠靴中敷内蔵により、靴製造において「靴内部の立体的空間が足に負担にならないよう研究して製造された」靴内部のつま先の高さ、甲の高さ、踵の高さが変わらないので、靴内部のベストな立体的空間が保たれる。
４  突起意匠靴中敷内蔵により、突起意匠靴中敷が表面層で覆われているため、突起の谷間・凹に汚れが溜まらない。
５  突起意匠靴中敷内蔵により、突起意匠靴中敷が表面層で覆われているため、突起が直接に足裏に接しないので、靴を履き脱ぎするときに突起が足に引っ掛からないのでスムーズに履き脱ぎできる。
６  突起意匠靴中敷内蔵により、突起意匠靴中敷が表面層で覆われているため、ソフトな刺激になるので長時間の歩行に耐えれる。


【手続補正５】
【補正対象書類名】明細書
【補正対象項目名】図面の簡単な説明
【補正方法】変更
【補正の内容】
【図面の簡単な説明】
【図１】本発明の突起意匠靴中敷内蔵と靴内部立体的空間を示す透視斜視図。
【図２】本発明の内蔵の突起意匠靴中敷を示す模式的側面参考図。
【図３】本発明の甲被と上部面、下部面を示す分解斜視図。
【図４】従来の突起意匠靴中敷、敷着時の靴内部の立体的的空間を示す透視斜視図。
【図５】本発明の突起意匠靴中敷内蔵の甲被にラスト嵌め込みと底の分解斜視図。
【図６】突起意匠靴中敷敷着時には、靴内部の突起意匠靴中敷が諸に見えるのを示す模式的参考図。
【図７】本発明の突起意匠靴中敷内蔵により靴内部の突起意匠靴中敷が見えない状態を示す模式的参考図。


【手続補正６】
【補正対象書類名】明細書
【補正対象項目名】符号の説明
【補正方法】変更
【補正の内容】
【符号の説明】
１  甲被
２  上部面
３  下部面
４  上部面と下部面の間の内蔵層
５  突起意匠靴中敷
６  底
７  つま先の高さ
８  甲の高さ
９  カカトの高さ
１０  甲被下部周囲一端
１１  上部面・下部面周囲一端
１２  挿入口部分
１３  突起意匠靴中敷内蔵の甲被
１４  甲被内部
１５  ラスト
＊＊＊
【手続補正により増加する請求項の数】１